(57)【特許請求の範囲】
【請求項１】
外側部を構成する器体と、前記器体の上部に装置した上枠と、前記器体の内部には液体を収容する容器と、前記容器内の液体を加熱する発熱体と、前記容器の上方開口部を覆う蓋体と、液体を器体外へ導出するポンプと、前記発熱体およびポンプ等の操作を行う操作パネルと、前記操作パネル下方に設けられスイッチを実装した操作基板と、前記上枠もしくは前記操作基板に係合しているホルダーと、前記操作パネルに設けられかつ前記ホルダーに接合され上下動が可能な第１弾性アームと、前記第１弾性アームにより支持された操作部とを有し、前記操作部の内側に第２弾性アームを延設し、前記第２弾性アームには前記スイッチと対向する作用部を設け、前記第１弾性アームと前記第２弾性アームは前記作用部に対して対称の位置にあると共に、前記操作部を押圧操作した時に、前記第１弾性アームが撓み前記作用部が前記スイッチに当接し、次に前記第２弾性アームが前記作用部を支点にして撓み、さらに押圧力を上げると前記作用部が前記スイッチを駆動することを特徴とした電気湯沸かし器。
【請求項２】
第２弾性アームおよび作用部は操作部表面より下方に設けた請求項１に記載の電気湯沸かし器。
【請求項３】
第１弾性アームと操作部が接合している第１支持部と作用部を結ぶ直線と第２弾性アームと操作部が接合している第２支持部と作用部を結ぶ直線のなす角度が３０°以下である請求項１に記載の電気湯沸かし器。
【発明の詳細な説明】
【０００１】
【発明の属する技術分野】
本発明は、収容液体を加熱・保温し、器体外へ導出する電気湯沸かし器に関するものである。
【０００２】
【従来の技術】
従来、この種の電気湯沸かし器は、外側部を構成する器体と、前記器体の上部に装置した上枠と、前記器体内の内部には液体を収容する容器と、前記容器内の液体を加熱する発熱体と、前記容器の上方開口部を覆う蓋体と、液体を器体外へ導出するポンプと、前記発熱体およびポンプ等の操作を行う操作パネルと、前記操作パネル近傍にはスイッチと、前記操作パネルには上下動が可能な弾性アームにより上枠に支持された操作部と、操作部にはスイッチと対向する作用部を設けている。
【０００３】
【発明が解決しようとする課題】
しかしながら、前記従来の構成では操作部を押圧操作した場合、操作部により直接スイッチを駆動させており、さらに弾性アームと上枠の接合部を中心に操作部および作用部は回動し、スイッチを確実に鉛直方向に駆動できず、操作感が悪く操作が確実にできなかった。また、弾性アーム・操作部・作用部の順に一列に配置することで、作用部はスイッチに当接し、さらに弾性アームが撓みスイッチが駆動するまでの間に作用部がスイッチに対して鉛直方向に向くことにより、操作感を増化させ操作感を向上させる方法があるが、これは作用部が操作部の外部に配置しなければならないという制約があり、操作部周辺が大型化するため限られた操作パネル上では配置ができないという課題を有していた。
【０００４】
【課題を解決するための手段】
前記従来の課題を解決するために、本発明の電気湯沸かし器は、外側部を構成する器体と、前記器体の上部に装置した上枠と、前記器体の内部には液体を収容する容器と、前記容器内の液体を加熱する発熱体と、前記容器の上方開口部を覆う蓋体と、液体を器体外へ導出するポンプと、前記発熱体およびポンプ等の操作を行う操作パネルと、前記操作パネル下方に設けられスイッチを実装した操作基板と、前記上枠もしくは前記操作基板に係合しているホルダーと、前記操作パネルに設けられかつ前記ホルダーに接合され上下動が可能な第１弾性アームと、前記第１弾性アームにより支持された操作部とを有し、前記操作部の内側に第２弾性アームを延設し、前記第２弾性アームには前記スイッチと対向する作用部を設け、前記第１弾性アームと前記第２弾性アームは前記作用部に対して対称の位置にあると共に、前記操作部を押圧操作した時に、前記第１弾性アームが撓み前記作用部が前記スイッチに当接し、次に前記第２弾性アームが前記作用部を支点にして撓み、さらに押圧力を上げると前記作用部が前記スイッチを駆動するものである。
【０００５】
これによって、操作部全体が小型となり、操作部を押圧操作した場合に操作部の内側に設けた第２弾性アームが撓み、作用部がスイッチに対して鉛直方向に駆動でき、操作感も増化し確実な操作が可能となり、さらに操作部及びスイッチの位置の自由度が確保できる。
【０００６】
【発明の実施の形態】
請求項１記載の発明は、外側部を構成する器体と、前記器体の上部に装置した上枠と、前記器体の内部には液体を収容する容器と、前記容器内の液体を加熱する発熱体と、前記容器の上方開口部を覆う蓋体と、液体を器体外へ導出するポンプと、前記発熱体およびポンプ等の操作を行う操作パネルと、前記操作パネル下方に設けられスイッチを実装した操作基板と、前記上枠もしくは前記操作基板に係合しているホルダーと、前記操作パネルに設けられかつ前記ホルダーに接合され上下動が可能な第１弾性アームと、前記第１弾性アームにより支持された操作部とを有し、前記操作部の内側に第２弾性アームを延設し、前記第２弾性アームには前記スイッチと対向する作用部を設け、前記第１弾性アームと前記第２弾性アームは前記作用部に対して対称の位置にあると共に、前記操作部を押圧操作した時に、前記第１弾性アームが撓み前記作用部が前記スイッチに当接し、次に前記第２弾性アームが前記作用部を支点にして撓み、さらに押圧力を上げると前記作用部が前記スイッチを駆動することにより、操作部全体が小型となり、さらに操作部を押圧操作した場合にも操作部の内側に設けた第２弾性アームが撓み、作用部がスイッチに対して鉛直方向に駆動でき、これにより操作感も増化し確実な操作が可能となり、しかも操作部及びスイッチの位置の自由度が確保できる。
【０００７】
請求項２記載の発明は、第２弾性アームおよび作用部は操作部表面より下方に設けたことにより、操作部を押圧操作した場合に第２弾性アームおよび作用部が直接押圧されないため、作用部がスイッチに対して鉛直方向に駆動でき、これにより操作感も増化し確実に操作ができる。
【０００８】
請求項３記載の発明は、第１弾性アームと操作部が接合している第１支持部と作用部を結ぶ直線と第２弾性アームと操作部が接合している第２支持部と作用部を結ぶ直線が３０°以下にすることで、操作部の押圧操作において第１アームが長手方向にねじれた場合でも、作用部が確実にスイッチを駆動させることができる。
【０００９】
【実施例】
以下本発明の実施例について、図１〜図６を参照しながら説明する。
【００１０】
（実施例１）
図１は本発明の第１の実施例における電気湯沸かし器の全体断面図で図２は操作部の断面図で図３は操作部詳細図を示すものである。
【００１１】
外側部を構成する器体と、前記器体１の上部に装置した上枠２と、前記器体１の内部には液体を収容する容器３と、前記容器３内の液体を加熱する発熱体４と、前記容器の上方開口部を覆う蓋体５と、液体を器体１外へ導出するポンプ６と、前記発熱体４およびポンプ６等の操作を行う操作パネル７と、前記操作パネル７下方にはスイッチ１１を実装した操作基板１０と、前記操作パネル７には上下動が可能な第１弾性アーム１２により支持された操作部２０と、前記操作部２０の内側に第２弾性アーム１３を延設し、前記第２アーム１３には前記スイッチ１１と対向する作用部１４を設け、第１弾性アーム１２と第２弾性アーム１３は前記作用部１４に対して対称の位置にある。
【００１２】
以上のように構成された電気湯沸かし器において、以下その動作、作用を説明する。
【００１３】
操作部２０を押圧操作した場合、第１弾性アーム１２が撓み作用部がスイッチ１１に当接し、次に第２弾性アーム１３が作用部１４を支点にしてアームが撓み、さらに押圧力を上げると作用部１４がスイッチ１１を駆動する。作用部１４はスイッチ１１を駆動させる段階ではスイッチ１１に対して鉛直方向に荷重をかけている。これにより作用部１４がスイッチ１１に対して鉛直方向に駆動し、操作感も増化し確実に操作ができ、さらに操作部２０及びスイッチ１１の位置に自由度が確保できる。
【００１４】
さらに、幅方向の断面積において第２弾性アーム１３は第１弾性アーム１２より狭い。また、第１弾性アーム１２は外郭を構成している上枠２もしくは操作基板１０に係合しているホルダー２１に接合されている。
【００１５】
（実施例２）
図２は本発明の第２の実施例における操作部の詳細を示すものであり、第２弾性アーム１３および作用部１４は操作部２０表面より下方に設けたものである。
【００１６】
以上のように構成された電気湯沸かし器において、以下その動作、作用を説明する。
【００１７】
操作部２０を押圧操作した場合に第２弾性アーム１３および作用部１４が、押圧操作により直接押圧されない位置にあるため、実施例１通り作用部１４がスイッチ１１に対して鉛直方向に駆動し、これにより操作感も増化し確実に操作ができる。
【００１８】
さらに、第１弾性アーム１２と第２弾性アーム１３の操作基板からの高さは同一平面上にあることが望ましい。
【００１９】
（実施例３）
図３は本発明の第３の実施例における操作部を上方より見た詳細を示すものであり、第１弾性アーム１２と操作部２０が接合している第１支持部１２ａの中央と作用部１４を結ぶ第１基準線１２ｂと第２弾性アーム１３と操作部２０が接合している第２支持部１３ａと作用部１４を結ぶ第２基準線１３ｂが３０°以下にしたものである。
【００２０】
以上のように構成された電気湯沸かし器において、以下その動作、作用を説明する。
【００２１】
操作部２０の端面などを押圧し第１弾性アーム１２が長手方向にねじれた場合に、３０°以下の関係であれば、第２弾性アーム１３はねじれず、作用部１４が確実にスイッチ１１を駆動させることができる。
【００２２】
（参考例１）
図４は第１の参考例における操作部の詳細断面を示すものであり、スイッチ１４を実装した操作基板１０と、操作部２０内に前記スイッチ１１に対向する作用部１４と、前記第２アーム部１３には操作基板１０に向かって伸設するストッパー１５を設け、操作部２０の押圧操作においてストッパー１５が先に操作基板１０に当接し、その当接した位置を支点とし作用部１４がスイッチ１１を駆動させる構造となっている。
【００２３】
以上のように構成された電気湯沸かし器において、以下その動作、作用を説明する。
【００２４】
操作部２０を押圧操作することでストッパー１５が先に操作基板１０に当接し、その当接した位置が実質的な支点となり、さらに操作部２０を押圧操作すると第１弾性アーム１２・第２弾性アーム１３の撓み、作用部１４が押圧操作方向であるスイッチ１１の鉛直方向に駆動でき、これにより操作感も増化し確実に操作ができ、また小型に構成することができる。
【００２５】
（参考例２）
図５〜６は第２の参考例における操作部の詳細図を示すものであり、外側部を構成する器体１と、前記器体の上部に装置した上枠２と、前記器体１内の内部には液体を収容する容器３と、前記容器内の液体を加熱する発熱体４と、前記容器の上方開口部を覆う蓋体５と、液体を器体外へ導出するポンプ６と、前記発熱体４およびポンプ６等の操作を行う操作パネル７と、前記操作パネル近傍にはスイッチ１１と、前記操作パネル７には上下動が可能な弾性アーム６２により支持された操作部２０と、操作部中心および操作部中心より弾性アーム２０方向に前記スイッチ１１と対向する作用部１４と、操作部中心に対して弾性アーム６２と対称の位置に操作基板１０に向かって伸設するストッパー１５を設け、操作部２０の押圧操作においてストッパー１５が先に操作基板１０に当接し、その当接した位置を支点とし作用部１４がスイッチ１１を駆動させる。
【００２６】
以上のように構成された電気湯沸かし器において、以下その動作、作用を説明する。
【００２７】
操作部２０の押圧操作においてストッパー１５が先に操作基板１０に当接することで、その当接した位置の支点が実質上の支点となる。さらに作用部１４がスイッチ１１に当接し駆動するまで、作用部１４も一時的に支点となり、さらにスイッチ駆動前の作用部も一時的な支点となり、これら２ヶ所の支点により作用部１４がスイッチ１１に対して鉛直方向に駆動でき、これにより操作感も増化し確実に操作ができ、これにより操作感を向上させることができ、操作部２０及びスイッチ１１の位置に自由度が確保できる。
【００２８】
さらに、ストッパー１５は操作部中心に対して弾性アーム６２と対称方向であれば、操作部２０の外部でも良い。
【００２９】
（参考例３）
図６は第３の参考例における詳細図を示すものであり、弾性アーム６２と操作部２０が接合している第１支持部１２ａと作用部１４を結ぶ第１基準線１２ｂと操作部中心から作用部１４を結ぶ第３基準線２０ｂが３０°以下のものである。
【００３０】
以上のように構成された電気湯沸かし器において、以下その動作、作用を説明する。
【００３１】
操作部２０の端面などを押圧操作し操作部がアンバランスな状態のときに、弾性アーム６２が長手方向にねじれるが、この関係が３０°以下の関係であれば、経験的に操作部２０はねじれず、作用部１４が確実にスイッチ１１を駆動させることができる。
【００３２】
【発明の効果】
以上のように、本発明によれば、操作部全体が小型となり、操作部を押圧操作した場合にも操作部の内側に設けた第２弾性アームが撓み、作用部がスイッチに対して鉛直方向に駆動でき、これにより操作感も増化し確実な操作が可能になる。しかも操作部及びスイッチ位置の自由度が確保できる。
【図面の簡単な説明】
【図１】本発明の実施例１における電気湯沸かし器の概略断面図
【図２】本発明の実施例１及び実施例２及び実施例３における電気湯沸かし器の操作部の断面図
【図３】本発明の実施例１及び実施例２及び実施例３における電気湯沸かし器を上方より見た操作部の詳細図
【図４】参考例１における電気湯沸かし器の操作部の断面図
【図５】参考例２及び３における電気湯沸かし器の操作部の断面図
【図６】同電気湯沸かし器の上方より見た操作部詳細図
【図７】本発明の実施例１における電気湯沸かし器の概略断面図
【符号の説明】
１  器体
２  上枠
３  容器
４  発熱体
５  蓋体
６  ポンプ
７  操作パネル
１０  操作基板
１１  スイッチ
１２  第１弾性アーム
１２ａ  第１支持部
１３  第２弾性アーム
１３ａ  第２支持部
１４  作用部
１５  ストッパー
２０  操作部
【図１】
0003632600.tif 000002
【図２】
0003632600.tif 000003
【図３】
0003632600.tif 000004
【図４】
0003632600.tif 000005
【図５】
0003632600.tif 000006
【図６】
0003632600.tif 000007
【図７】
0003632600.tif 000008